(57)【要約】【課題】フィルタの交換が容易であり、かつ吸気経路を十分確保できる空気調和装置を提供する。【解決手段】空気調和装置１は、空調対象空間の上方に配置される。空気調和装置１は、ケース２と、下面パネル８と、フィルタ４と、フィルタ支持部９とを備えている。ケース２は、下面が開放されている。下面パネル８は、ケース２の下面の開放部分の一部を覆う。フィルタ４は、ケース２に収納されている。フィルタ支持部９は、フィルタ２を下面パネル８の上方に所定間隔だけ離間して着脱自在に支持する。【選択図】図３
2007303770.tif 000002
【特許請求の範囲】
【請求項１】
空調対象空間の上方に配置される空気調和装置（１、２１、４１）であって、
下面が開放されたケース（２、２２、４２）と、
前記ケース（２、２２、４２）の下面の開放部分の一部を覆う下面パネル（８、２８、４８）と、
前記ケース（２、２２、４２）に収納されたフィルタ（４、２４、４４）と、
前記フィルタ（４、２４、４４）を前記下面パネル（８、２８、４８）の上方に所定間隔だけ離間して着脱自在に支持するフィルタ支持部（９、２９、４９）と
を備えている空気調和装置（１、２１、４１）。
【請求項２】
前記フィルタ支持部（９、２９、４９）は、前記下面パネル（８、２８、４８）と着脱自在に連結している、
請求項１に記載の空気調和装置（１、２１、４１）。
【請求項３】
前記下面パネル（８、２８）を前記フィルタ（４、２４）および前記フィルタ支持部（９、２９）とともに昇降させる下面パネル昇降機構（１０、３０）をさらに備えている、
請求項１または２に記載の空気調和装置（１、２１）。
【請求項４】
前記ケース（２２）の下面と前記下面パネル（２８）との間に形成された通気口（３３、３４）を開閉する可動パネル（３１）をさらに備え、
前記下面パネル昇降機構（３０）は、前記下面パネル（２８）を前記可動パネル（３１）、前記フィルタ（２４）および前記フィルタ支持部（２９）とともに昇降させる、
請求項３に記載の空気調和装置（２１）。
【請求項５】
前記下面パネル昇降機構（３０）は、前記可動パネル（３１）が開いた後に前記下面パネル（２８）を下降させる、
請求項４に記載の空気調和装置（２１）。
【請求項６】
前記下面パネル昇降機構（１０、３０）は、前記下面パネル（８、２８）を昇降および傾動させる、
請求項３から５のいずれかに記載の空気調和装置（１、２１）。
【請求項７】
前記フィルタ支持部（９）は、前記下面パネル（８）が傾いたときにおける前記フィルタ（４）の落下を防止する落下防止部を有している、
請求項６に記載の空気調和装置（１）。
【請求項８】
前記フィルタ支持部（９）は、前記フィルタ（４）を上から取り外しができる構造を有している、
請求項１から７のいずれかに記載の空気調和装置（１、２１）。
【請求項９】
前記フィルタ支持部（９）は、前記フィルタ（４）を下から取り外しができる構造を有している、
請求項１から８のいずれかに記載の空気調和装置（１）。
【請求項１０】
前記フィルタ支持部（９）は、前記フィルタ（４）をスライドして横から取り外しができる構造を有している、
請求項１から９のいずれかに記載の空気調和装置（１）。
【請求項１１】
前記下面パネル（４８）を前記ケース下面において下方へ回転させて開閉する回転開閉機構（６１）と、
前記フィルタ（４４）を前記下面パネル（４８）から離脱して昇降させるフィルタ昇降機構（６２）と
をさらに備えている、
請求項１または２に記載の空気調和装置（４１）。
【請求項１２】
前記通気口（１３、３３、５３、１４、３４、５４）は、前記ケース（２、２２、４２）における前記下面パネル（８、２８、４８）の周囲のうちの前記下面パネル（８、２８、４８）を挟んで対向する２カ所に配置されている、
請求項１から１１のいずれかに記載の空気調和装置（１、２１、４１）。
【請求項１３】
前記通気口（１３、３３、５３、１４、３４、５４）は、前記ケース（２、２２、４２）における前記下面パネル（８、２８、４８）の周囲全体に配置されている、
請求項１から１１のいずれかに記載の空気調和装置（１、２１、４１）。
【発明の詳細な説明】
【技術分野】
【０００１】
本発明は、空気調和装置に関し、とくに空調対象空間の上方に配置される空気調和装置に関する。
【背景技術】
【０００２】
従来より、フィルタの清掃および交換を容易に行なうためにフラットパネルとフィルタをワイヤによって一体的に自動昇降する天井埋め込み型空気調和装置が提案されている（特許文献１参照）。
【特許文献１】特開平１０−１９６９９８号公報
【発明の開示】
【発明が解決しようとする課題】
【０００３】
しかし、このような天井埋込み型空気調和装置では、フラットパネルとフィルタとが一体に連結されているため、フィルタの着脱が困難であり、メンテナンス作業に手間がかかる。また、フラットパネルとフィルタとの間に吸気経路を十分確保されていないという問題がある。
【０００４】
本発明の課題は、フィルタの交換が容易であり、かつ吸気経路を十分確保できる空気調和装置を提供することにある。
【課題を解決するための手段】
【０００５】
第１発明に係る空気調和装置は、空調対象空間の上方に配置される空気調和装置である。空気調和装置は、ケースと、下面パネルと、フィルタと、フィルタ支持部とを備えている。ケースは、下面が開放されている。下面パネルは、ケースの下面の開放部分の一部を覆う。フィルタは、ケースに収納されている。フィルタ支持部は、フィルタを下面パネルの上方に所定間隔だけ離間して着脱自在に支持する。
【０００６】
ここでは、天井埋込み型の空気調和装置がフィルタを下面パネルの上方に所定間隔だけ離間して着脱自在に支持するフィルタ支持部を備えているので、フィルタを下面パネルと共に開けることが可能であり、フィルタの交換が容易である。しかも、フィルタ支持部によってフィルタを下面パネルの上方に所定間隔だけ離間させることによって、フィルタと下面パネルとの間に吸気経路を十分確保することが可能である。
【０００７】
第２発明に係る空気調和装置は、第１発明に係る空気調和装置であって、フィルタ支持部は、下面パネルと着脱自在に連結している。
【０００８】
ここでは、フィルタ支持部が下面パネルと着脱自在に連結しているので、下面パネルをフィルタ支持部から容易に着脱したり、下面パネルを開放することが可能になる。その結果、フィルタの清掃および交換をさらに容易に行うことが可能である。また、下面パネルの清掃および交換も容易に行うことが可能である。
【０００９】
第３発明に係る空気調和装置は、第１発明または第２発明に係る空気調和装置であって、下面パネル昇降機構をさらに備えている。下面パネル昇降機構は、下面パネルをフィルタおよびフィルタ支持部とともに昇降させる。
【００１０】
ここでは、下面パネルをフィルタおよびフィルタ支持部とともに昇降させる下面パネル昇降機構をさらに備えているので、下面パネルおよびフィルタを作業員の作業可能な高さまで下降させることによって、フィルタの清掃および交換が容易に行うことが可能である。
【００１１】
第４発明に係る空気調和装置は、第３発明に係る空気調和装置であって、ケースの下面と下面パネルとの間に形成された通気口を開閉する可動パネルをさらに備えている。下面パネル昇降機構は、下面パネルを、可動パネル、フィルタおよびフィルタ支持部とともに昇降させる。
【００１２】
ここでは、ケースの下面と下面パネルとの間に形成された通気口を開閉する可動パネルをさらに備え、下面パネル昇降機構は、下面パネルを、可動パネル、フィルタおよびフィルタ支持部とともに昇降させるので、フィルタを下面パネルおよび可動パネルと共に開けることが可能であり、フィルタの交換がさらに容易である。
【００１３】
第５発明に係る空気調和装置は、第４発明に係る空気調和装置であって、下面パネル昇降機構は、可動パネルが開いた後に下面パネルを下降させる。
【００１４】
ここでは、下面パネル昇降機構が可動パネルが開いた後に下面パネルを下降させるので、可動パネルがケースの下面に引っかかる不具合を防止することが可能である。
【００１５】
第６発明に係る空気調和装置は、第３発明から第５発明のいずれかに係る空気調和装置であって、下面パネル昇降機構は、下面パネルを昇降および傾動させる。
【００１６】
ここでは、下面パネル昇降機構が下面パネルを昇降および傾動させるので、下面パネルとともにフィルタも傾けることが可能になり、さらにフィルタの清掃および交換が容易になる。
【００１７】
第７発明に係る空気調和装置は、第６発明に係る空気調和装置であって、フィルタ支持部は、落下防止部を有している。落下防止部は、下面パネルが傾いたときにおけるフィルタの落下を防止する。
【００１８】
ここでは、フィルタ支持部が落下防止部を有しているので、下面パネルが傾いたときにおけるフィルタの落下を防止することが可能である。
【００１９】
第８発明に係る空気調和装置は、第１発明から第７発明のいずれかに係る空気調和装置であって、フィルタ支持部は、フィルタを上から取り外しができる構造を有している。
【００２０】
ここでは、フィルタ支持部がフィルタを上から取り外しができる構造を有しているので、フィルタを上から容易に取り外すことが可能である。
【００２１】
第９発明に係る空気調和装置は、第１発明から第８発明のいずれかに係る空気調和装置であって、フィルタ支持部は、フィルタを下から取り外しができる構造を有している。
【００２２】
ここでは、フィルタ支持部がフィルタを下から取り外しができる構造を有しているので、フィルタを下から容易に取り外すことが可能である。
【００２３】
第１０発明に係る空気調和装置は、第１発明から第９発明のいずれかに係る空気調和装置であって、フィルタ支持部は、フィルタをスライドして横から取り外しができる構造を有している。
【００２４】
ここでは、フィルタ支持部がフィルタをスライドして横から取り外しができる構造を有しているので、フィルタの着脱を容易に行うことが可能である。
【００２５】
第１１発明に係る空気調和装置は、第１発明または第２発明に係る空気調和装置であって、回転開閉機構と、フィルタ昇降機構とをさらに備えている。回転開閉機構は、下面パネルをケース下面において下方へ回転させて開閉する。フィルタ昇降機構は、フィルタを下面パネルから離脱して昇降させる。
【００２６】
ここでは、下面パネルをケース下面において下方へ回転させて開閉する回転開閉機構と、フィルタを下面パネルから離脱して昇降させるフィルタ昇降機構とをさらに備えているので、フィルタのみを昇降させることが可能であり、フィルタの清掃および交換がさらに容易である。
【００２７】
第１２発明に係る空気調和装置は、第１発明から第１１発明のいずれかに係る空気調和装置であって、通気口は、ケースにおける下面パネルの周囲のうちの下面パネルを挟んで対向する２カ所に配置されている。
【００２８】
ここでは、通気口がケースにおける下面パネルの周囲のうちの下面パネルを挟んで対向する２カ所に配置されているので、居室内の２方向から空気の吸込みおよび吹出しをそれぞれ行うことが可能になり、ドラフト感（風当たり感）を抑制して居室内全体の冷房または暖房などの空気調和を行うことが可能になる。
【００２９】
第１３発明に係る空気調和装置は、第１発明から第１１発明のいずれかに係る空気調和装置であって、通気口は、ケースにおける下面パネルの周囲全体に配置されている。
【００３０】
ここでは、通気口がケースにおける下面パネルの周囲全体に配置されているので、居室内の全ての方向から空気の吸込みおよび吹出しをそれぞれ行うことが可能になり、ドラフト感（風当たり感）をさらに抑制して居室内全体の冷房または暖房などの空気調和を行うことが可能になる。
【発明の効果】
【００３１】
第１発明によれば、フィルタを下面パネルと共に開けることが可能であり、フィルタの交換が容易である。しかも、フィルタ支持部によってフィルタを下面パネルの上方に所定間隔だけ離間させることによって、フィルタと下面パネルとの間に吸気経路を十分確保することができる。
【００３２】
第２発明によれば、下面パネルをフィルタ支持部から容易に着脱したり、下面パネルを開放することができる。その結果、フィルタの清掃および交換をさらに容易に行うことができる。また、下面パネルの清掃および交換も容易に行うことができる。
【００３３】
第３発明によれば、下面パネルおよびフィルタを作業員の作業可能な高さまで下降させることによって、フィルタの清掃および交換が容易に行うことができる。
【００３４】
第４発明によれば、フィルタを下面パネルおよび可動パネルと共に開けることができ、フィルタの交換がさらに容易である。
【００３５】
第５発明によれば、可動パネルがケースの下面に引っかかる不具合を防止することができる。
【００３６】
第６発明によれば、下面パネルとともにフィルタも傾けることができ、さらにフィルタの清掃および交換が容易になる。
【００３７】
第７発明によれば、下面パネルが傾いたときにおけるフィルタの落下を防止することができる。
【００３８】
第８発明によれば、フィルタを上から容易に取り外すことができる。
【００３９】
第９発明によれば、フィルタを下から容易に取り外すことができる。
【００４０】
第１０発明によれば、フィルタの着脱を容易に行うことができる。
【００４１】
第１１発明によれば、フィルタのみを昇降させることができ、フィルタの清掃および交換がさらに容易である。
【００４２】
第１２発明によれば、居室内の２方向から空気の吸込みおよび吹出しをそれぞれ行うことが可能になり、ドラフト感（風当たり感）を抑制して居室内全体の冷房または暖房などの空気調和を行うことができる。
【００４３】
第１３発明によれば、居室内の全ての方向から空気の吸込みおよび吹出しをそれぞれ行うことが可能になり、ドラフト感（風当たり感）をさらに抑制して居室内全体の冷房または暖房などの空気調和を行うことができる。
【発明を実施するための最良の形態】
【００４４】
〔第１実施形態〕
＜空気調和装置１の基本構成＞
本発明の第１実施形態に係る天井設置型の空気調和装置１は、図１〜図６に示されるように、居室等の空調対象空間の上方における天井Ｃに埋め込んだ状態で配置されている。空気調和装置１は、主として、ケース２と、送風ファン３と、フィルタ４と、熱交換器５と、ドレンパン６と、フラットパネル８と、フィルタ支持部９と、フラットパネル昇降機構１０と、可動パネル１１と、可動パネル移動機構１２とから構成されている。
【００４５】
ケース２は、居室の天井Ｃに形成された開口に挿入されて配置されている。そして、ケース２の内部には、主として、居室内の空気をケース２内に吸入して外周方向に吹き出す送風ファン３と、ケース２内に吸引された空気を濾過するフィルタ４と、送風ファン３の外周部を囲むように配置された熱交換器５とが配置されている。
【００４６】
空気調和装置１のケース２は、天井Ｃの開口に嵌め込まれるように配置されている。なお、ケース２を天井Ｃの表面に吊り下げて配置してもよい。
【００４７】
送風ファン３は、ターボファン等の遠心ファンから構成されており、居室内の空気をケース２の吸込口１３を通じてケース２内に吸入し、フィルタ４によって濾過された後に吹出口１４から調和空気を吹き出す空気流れを生成する。吸込口１３から吸入された空気は、送風ファン３を通って熱交換器５に流れる。熱交換器５では、空気は、冷媒と熱交換されて冷却または加熱されて調和空気となる。その後、調和空気は、ケース２の内側面に沿って流れた後に吹出口１４から居室等の空調対象空間へ吹き出す。
【００４８】
熱交換器５の下側には、熱交換器５において空気中の水分が凝縮されて生じるドレン水を受けるためのドレンパン６が配置されている。
【００４９】
フラットパネル８は、ケース２の下面の開放部分の一部を覆う合成樹脂製のパネルであり、本発明の下面フラットパネルに対応する。フラットパネル８の両端には、一対のフック８ａ（図５〜６参照）が形成されている。
【００５０】
また、フラットパネル８の両側には、居室内の空気を吸入する一対の吸込口１３が形成されている。さらに一対の吸込口１３の外側には、ケース２内から居室内に調和空気を吹き出す一対の吹出口１４が形成されている。なお、吹出口１４には、調和空気が吹き出す角度を調節するフラップを設けてもよい。
【００５１】
フィルタ支持部９は、フィルタ４をフラットパネル８の上方に所定間隔ｔ（図２参照）だけ離間して着脱自在に支持する。フィルタ４がフラットパネル８の上方に所定間隔ｔだけ離間しているので、吸気経路Ｒを十分確保することが可能である。
【００５２】
フィルタ支持部９は、フィルタ４をフラットパネル８の上方に所定間隔ｔだけ離間して着脱自在に支持する。フィルタ支持部９は、図５〜６に示されるように、台座部９ａと、フィルタ４を下方から支持する支持部９ｂと、突起部９ｃとを有している。フィルタ支持部９は、その支持部９ｂとフィルタ４の枠部分とが嵌合するなどしてフィルタ４を着脱自在に支持する。
【００５３】
しかも、図５〜６に示されるように、フィルタ支持部９は、フラットパネル８と着脱自在に連結している。フラットパネル８の両端に形成された一対のフック８ａがフィルタ支持部９の突起部９ｃに着脱自在に嵌合することによって、フラットパネル８を容易に着脱することが可能になる。また、フラットパネル８を開放してフィルタ４を露出させることも可能になるので、その結果、フィルタ４の清掃および交換がさらに容易になる。
【００５４】
フラットパネル昇降機構１０は、フラットパネル８をフィルタ４およびフィルタ支持部９とともに昇降させる。フラットパネル昇降機構１０は、その本体内部にモータおよび減速機構を有しており、フラットパネル８の両端部に連結されたワイヤ１５を往復駆動させることによってフラットパネル８を昇降させる。フラットパネル昇降機構１０は、ケース２の内部の図示されないフレームに固定されている。ワイヤ１５は、ケース２内部に設けられたプーリ１６によって、ケース２内部に往復移動自在に配索されている。
【００５５】
一対の可動パネル１１は、それぞれ合成樹脂等で製造された平坦な板状部材であり、フラットパネル８の両側にそれぞれ配置されている。可動パネル１１は、吸込口１３および吹出口１４を開閉する。
【００５６】
可動パネル移動機構１２は、図１〜２に示すように、可動パネル１１を第１位置Ｉと第２位置IIとの間を移動させる機構である。可動パネル移動機構１２は、例えば、ステップモータ等から構成されており、ケース２内部に固定されている。可動パネル移動機構１２は、空気調和装置１が運転開始のときには、可動パネル１１を第１位置Ｉから天井Ｃに対して所定角度だけ傾斜した第２位置IIへ回転移動させて、吸込口１３および吹出口１４を開放する。一方、空気調和装置１が運転停止のときには、可動パネル１１は、第２位置IIから第１位置Ｉへ回転移動させて、吸込口１３および吹出口１４を閉じる。
【００５７】
＜第１実施形態の特徴＞
（１）
第１実施形態の居室の上方の天井Ｃに配置される天井埋込み型の空気調和装置１は、下面が開放されたケース２と、ケース２の下面の開放部分の一部を覆うフラットパネル８と、ケース２に収納されたフィルタ４と、フィルタ４をフラットパネル８の上方に所定間隔ｔだけ離間して着脱自在に支持するフィルタ支持部９とを備えているので、フィルタ４をフラットパネル８と共に開けることが可能であり、フィルタ４の交換が容易である。しかも、フィルタ支持部９によってフィルタ４をフラットパネル８の上方に所定間隔ｔだけ離間させることによって、フィルタ４とフラットパネル８との間に吸気経路Ｒを十分確保することが可能である。
（２）
第１実施形態の空気調和装置１では、フィルタ支持部９は、フラットパネル８と着脱自在に連結しているので、フラットパネル８をフィルタ支持部９から容易に着脱したり、フラットパネル８を開放することが可能になる。その結果、フィルタ４の清掃および交換をさらに容易に行うことが可能である。また、フラットパネル８の清掃および交換も容易に行うことが可能である。
【００５８】
（３）
第１実施形態の空気調和装置１では、フラットパネル８をフィルタ４およびフィルタ支持部９とともに昇降させるフラットパネル昇降機構１０をさらに備えているので、フラットパネル８およびフィルタ４を作業員の作業可能な高さまで下降させることによって、フィルタ４の清掃および交換が容易に行うことが可能である。
【００５９】
（４）
第１実施形態の空気調和装置１では、通気口である吸込口１３および吹出口１４が、ケース２におけるフラットパネル８の周囲のうちのフラットパネル８を挟んで対向する２カ所に配置されている（いわゆるダブルフローの配置である）ので、居室内の２方向から空気の吸込みおよび吹出しをそれぞれ行うことが可能になり、ドラフト感（風当たり感）を抑制して居室内全体の冷房または暖房などの空気調和を行うことが可能になる。
【００６０】
＜第１実施形態の変形例＞
（Ａ）
第１実施形態の空気調和装置１では、フラットパネル昇降機構１０は、フラットパネル８（およびフラットパネル支持部９ならびにフィルタ４）を鉛直方向に昇降させているのみであるが、本発明はこれに限定されるものではない。第１実施形態の変形例として、図７に示されるように、フラットパネル昇降機構１０は、両側のワイヤ１５の送り出し量（ストローク）を変えることによって、フラットパネル８を昇降および傾動させるようにしてもよい。この場合、フラットパネル８とともにフィルタ４も自動的に傾けることが可能になり、さらにフィルタの清掃および交換が容易になる。
【００６１】
（Ｂ）
また、上記変形例（Ａ）のように、フラットパネル８が傾いた姿勢でもフィルタ４を保持するために、第１実施形態の他の変形例として、図８に示されるように、フィルタ支持部９は、フラットパネル８が傾いたときにおけるフィルタ４の落下を防止する落下防止部として一対の断面コの字状のコの字形部分９ｄを有しているのが好ましい。
【００６２】
一対のコの字形部分９ｄは、互いに対向するように配置され、フィルタ４の枠部分の両側面を保持するように構成されている。したがって、フラットパネル８およびフィルタ４が左右いずれかに傾いても落下防止部である一対のコの字形部分９ｄでフィルタ４を保持することによって、フィルタ４の落下を防止することが可能である。
【００６３】
（Ｃ）
また、図８に示される一対の断面コの字状の部材からなる落下防止部９ｄの場合、フィルタ４を保持した状態から図８の紙面垂直方向にフィルタ４をスライド移動させることにより、フィルタ４の着脱を容易に行うことが可能である。
【００６４】
（Ｄ）
また、第１実施形態のさらに他の変形例として、図９に示されるように、フラットパネル８およびフィルタ４を下降したとき、あるいは下降および傾動したときに、フィルタ４の着脱を容易に行うことができるように、フィルタ支持部９は、フィルタ４を上から取り外しができる構造を有しているのが好ましい。
【００６５】
例えば、図９のフィルタ支持部９では、両側の支持部９ｂにそれぞれ断面コの字状のコの字形部分９ｄおよび断面Ｌの字状のＬの字形部分９ｅが互いに対向して配設されている。フィルタ４の枠部分の両側面は、コの字形部分９ｄおよびＬの字形部分９ｅによって保持されているので、フィルタ４の落下を防止することが可能である。また、フラットパネル８およびフィルタ４を下降させるとともにＬの字形部分９ｅの方を下げるように傾動させた後に、フィルタ４をＬの字形部分９ｅに載っている部分から上方へ持ち上げることにより、フィルタ４を上から容易に取り外すことが可能である。
【００６６】
（Ｅ）
また、第１実施形態のさらに他の変形例として、図１０に示されるように、フラットパネル８およびフィルタ４を下降したとき、あるいは下降および傾動したときに、フィルタ４の着脱を容易に行うことができるように、フィルタ支持部９は、フィルタ４を下から取り外しができる構造を有しているのが好ましい。
【００６７】
例えば、図１０のフィルタ支持部９では、両側の支持部９ｂにそれぞれ断面コの字状のコの字形部分９ｄおよび断面Ｌの字状のＬの字形部分９ｅが設けられている。フィルタ４の枠部分の両側面は、コの字形部分９ｄおよびＬの字形部分９ｅによって保持されているので、フィルタ４の落下を防止することが可能である。また、フラットパネル８およびフィルタ４を下降させるとともにＬの字形部分９ｅの方を下げるように傾動させた後に、フラットパネル８を図５〜６に示されるようにフィルタ支持部９から取り外しておき、その後に、フィルタ４の一端をＬの字形部分９ｅに載っている部分から上方（矢印Ｌ１）へ持ち上げた後に、フィルタ４の他端をコの字形部分９ｄから取り外し、最後にフィルタ４の他端から下方（矢印Ｌ２）へ取り外せばよい。これにより、フィルタ４を下から容易に取り外すことが可能であり、上から取り外すよりもさらに取り外し作業が容易になる。
【００６８】
（Ｆ）
また、図１０のフィルタ支持部９の場合、フィルタ４を下から取り外すだけでなく、上記変形例（Ｃ）のようにフィルタ４をスライド移動して取り外したり、または、上記変形例（Ｄ）のようにフィルタ４を上から取り外すことも可能であるので、フィルタ４の上方取り外し、下方取り外し、スライド取り外しの３つの取外し方法を作業環境等を考慮して適宜選択することが可能である。このため、フィルタ４の取り外し作業をさらに容易に行うことが可能である。
【００６９】
（Ｇ）
第１実施形態のさらに他の変形例として、図１１に示されるように、空気調和装置１から上記の可動パネル１１および可動パネル移動機構１２を省略しても、フラットパネル昇降機構１０によってフラットパネル８およびフィルタ４を作業員の作業可能な高さまで下降させることによって、フィルタ４の清掃および交換が容易に行うことが可能である。
【００７０】
（Ｈ）
第１実施形態のさらに他の変形例として、吸込口１３および吹出口１４がケース２の下面を構成するフラットパネル８の周囲全体に配置されている、いわゆるラウンドフローの配置であってもよい。
【００７１】
この場合、居室内の全ての方向から空気の吸込みおよび吹出しをそれぞれ行うことが可能になり、ドラフト感（風当たり感）をさらに抑制して居室内全体の冷房または暖房などの空気調和を行うことが可能になる。
【００７２】
〔第２実施形態〕
＜空気調和装置２１の基本構成＞
本発明の第２実施形態に係る天井設置型の空気調和装置２１は、図１２〜図１４に示されるように、可動パネル３１をフィルタ２４およびフラットパネル２８とともに昇降させる点で第１実施形態と異なる構成を有している。以下、空気調和装置２１の構成について説明する。
【００７３】
空気調和装置２１は、居室等の空調対象空間の上方における天井Ｃに埋め込んだ状態で配置されている。空気調和装置２１は、主として、ケース２２と、送風ファン２３と、フィルタ２４と、熱交換器２５と、ドレンパン２６と、フラットパネル２８と、フィルタ支持部２９と、フラットパネル昇降機構３０と、可動パネル３１と、可動パネル移動機構３２とから構成されている。
【００７４】
ケース２２は、居室の天井Ｃに形成された開口に挿入されて配置されている。そして、ケース２２の内部には、主として、居室内の空気をケース２２内に吸入して外周方向に吹き出す送風ファン２３と、ケース２２内に吸引された空気を濾過するフィルタ２４と、送風ファン２３の外周部を囲むように配置された熱交換器２５とが配置されている。
【００７５】
空気調和装置２１のケース２２は、天井Ｃの開口に嵌め込まれるように配置されている。なお、ケース２２を天井Ｃの表面に吊り下げて配置してもよい。
【００７６】
送風ファン２３は、ターボファン等の遠心ファンから構成されており、居室内の空気をケース２２の吸込口３３を通じてケース２２内に吸入し、フィルタ２４によって濾過された後に吹出口３４から調和空気を吹き出す空気流れを生成する。吸込口３３から吸入された空気は、送風ファン２３を通って熱交換器２５に流れる。熱交換器２５では、空気は、冷媒と熱交換されて冷却または加熱されて調和空気となる。その後、調和空気は、ケース２２の内側面に沿って流れた後に吹出口３４から居室等の空調対象空間へ吹き出す。
【００７７】
熱交換器２５の下側には、熱交換器２５において空気中の水分が凝縮されて生じるドレン水を受けるためのドレンパン２６が配置されている。
【００７８】
フラットパネル２８は、ケース２２の下面の開放部分の一部を覆う合成樹脂製のパネルであり、本発明の下面フラットパネルに対応する。フラットパネル２８の両端には、第１実施形態のフラットパネル８と同様に、フィルタ支持部２９の突起部２９ｃと連結するための一対のフック（図示せず）が形成されている。フックは、図５のフック８ａと同一の形状である。
【００７９】
また、フラットパネル８の両側には、居室内の空気を吸入する一対の吸込口３３が形成されている。さらに一対の吸込口３３の外側には、ケース２２内から居室内に調和空気を吹き出す一対の吹出口３４が形成されている。なお、吹出口３４には、調和空気が吹き出す角度を調節するフラップを設けてもよい。
【００８０】
フィルタ支持部２９は、フィルタ２４をフラットパネル２８の上方に所定間隔ｔ（図１３参照）だけ離間して着脱自在に支持する。フィルタ２４がフラットパネル２８の上方に所定間隔ｔだけ離間しているので、吸気経路Ｒを十分確保することが可能である。
【００８１】
フィルタ支持部２９は、フィルタ２４をフラットパネル２８の上方に所定間隔ｔだけ離間して着脱自在に支持する。
【００８２】
フィルタ支持部２９は、台座部２９ａと、フィルタ２４を下方から支持する支持部２９ｂと、突起部２９ｃと、可動パネル３１および可動パネル移動機構３２に連結する連結部２９ｆとを有している。フィルタ支持部２９は、その支持部２９ｂとフィルタ４の枠部分とが嵌合するなどしてフィルタ２４を着脱自在に支持する。
【００８３】
しかも、フィルタ支持部２９は、フラットパネル２８と着脱自在に連結している。フラットパネル２８の両端に形成された一対のフック（図示せず）がフィルタ支持部２９の突起部２９ｃに着脱自在に嵌合することによって、フラットパネル２８を容易に着脱することが可能になり、また、フラットパネル２８を開放してフィルタ２４を露出させることも可能になるので、その結果、フィルタ２４の清掃および交換がさらに容易になる。
【００８４】
フラットパネル昇降機構３０は、フラットパネル２８を、可動パネル３１、可動パネル移動機構３２、フィルタ２４およびフィルタ支持部２９とともに昇降させる。フラットパネル昇降機構３０は、その本体内部にモータおよび減速機構を有しており、フラットパネル２８の両端部に連結されたワイヤ３５を往復駆動させることによってフラットパネル２８を昇降させる（図１４参照）。フラットパネル昇降機構３０は、ケース２２の内部の図示されないフレームに固定されている。ワイヤ３５は、ケース２２内部に設けられたプーリ３６によって、ケース２２内部に往復移動自在に配索されている。
【００８５】
一対の可動パネル３１は、それぞれ合成樹脂等で製造された平坦な板状部材であり、フラットパネル２８の両側にそれぞれ配置されている。可動パネル３１は、吸込口３３および吹出口３４を開閉する。可動パネル３１は、可動パネル移動機構３２を介してフィルタ支持部２９の連結部２９ｆに連結されている。
【００８６】
可動パネル移動機構３２は、図１２〜１３に示すように、可動パネル３１を第１位置Ｉと第２位置IIとの間を移動させる機構である。可動パネル移動機構３２は、フィルタ支持部２９の連結部２９ｆに連結されている。可動パネル移動機構３２は、例えば、ステップモータ等から構成されており、ケース２２内部に固定されている。可動パネル移動機構３２は、空気調和装置２１が運転開始のときには、可動パネル３１を第１位置Ｉから天井Ｃに対して所定角度だけ傾斜した第２位置IIへ回転移動させて、吸込口３３および吹出口３４を開放する。一方、空気調和装置２１が運転停止のときには、可動パネル３１は、第２位置IIから第１位置Ｉへ回転移動させて、吸込口３３および吹出口３４を閉じる。
【００８７】
＜第２実施形態の特徴＞
（１）
第２実施形態の天井埋込み型の空気調和装置２１は、ケース２２の下面とフラットパネル２８との間に形成された通気口である吸込口３３および吹出口３４を開閉する可動パネル３１をさらに備えており、フラットパネル昇降機構３０は、フラットパネル２８を可動パネル３１、可動パネル移動機構３２、フィルタ２４およびフィルタ支持部２９とともに昇降させるので、フィルタ２４をフラットパネル２８および可動パネル３１と共に開けることが可能であり、フィルタ２４の交換がさらに容易である。しかも、可動パネル３１および可動パネル移動機構３２も昇降するので、可動パネル３１および可動パネル移動機構３２のメンテナンスも容易である。
【００８８】
（２）
また、第１実施形態の空気調和装置１と同様に、第２実施形態の居室の上方の天井Ｃに配置される天井埋込み型の空気調和装置２１は、下面が開放されたケース２２と、ケース２２の下面の開放部分の一部を覆うフラットパネル２８と、ケース２２に収納されたフィルタ２４と、フィルタ２４をフラットパネル２８の上方に所定間隔ｔだけ離間して着脱自在に支持するフィルタ支持部２９とを備えているので、フィルタ２４をフラットパネル２８と共に開けることが可能であり、フィルタ２４の交換が容易である。しかも、フィルタ支持部２９によってフィルタ２４をフラットパネル２８の上方に所定間隔ｔだけ離間させることによって、フィルタ２４とフラットパネル２８との間に吸気経路Ｒを十分確保することが可能である。
【００８９】
（３）
第２実施形態の空気調和装置２１では、第１実施形態の空気調和装置１と同様に、フィルタ支持部２９は、フラットパネル２８と着脱自在に連結しているので、フラットパネル２８をフィルタ支持部２９から容易に着脱したり、フラットパネル２８を開放することが可能になる。その結果、フィルタ２４の清掃および交換をさらに容易に行うことが可能である。また、フラットパネル２８の清掃および交換も容易に行うことが可能である。
【００９０】
（４）
第２実施形態の空気調和装置２１では、第１実施形態の空気調和装置１と同様に、フラットパネル２８をフィルタ２４およびフィルタ支持部２９とともに昇降させるフラットパネル昇降機構３０をさらに備えているので、フラットパネル２８およびフィルタ２４を作業員の作業可能な高さまで下降させることによって、フィルタ２４の清掃および交換が容易に行うことが可能である。
【００９１】
（５）
第２実施形態の空気調和装置２１では、第１実施形態の空気調和装置１と同様に、通気口である吸込口３３および吹出口３４が、ケース２２におけるフラットパネル２８の周囲のうちのフラットパネル２８を挟んで対向する２カ所に配置されている（いわゆるダブルフローの配置である）ので、居室内の２方向から空気の吸込みおよび吹出しをそれぞれ行うことが可能になり、ドラフト感（風当たり感）を抑制して居室内全体の冷房または暖房などの空気調和を行うことが可能になる。
【００９２】
＜第２実施形態の変形例＞
（Ａ）
第２実施形態の空気調和装置２１では、図１４に示されるように、可動パネル３１が閉じた状態（図１２における第１位置Ｉ）でフィルタ２４およびフラットパネル２８とともに昇降するが、本発明はこれに限定されるものではない。第２実施形態の変形例として、図１５に示されるように、フラットパネル昇降機構３０は、可動パネル３１が開いた後にフラットパネル２８を下降させるようにしてもよい。
【００９３】
ここで、可動パネル３１およびフラットパネル２８をワイヤ３５を用いて下降させるときには、ワイヤ３５の揺れ等の影響で正確に鉛直方向へ下降させることができない場合があり、可動パネル３１がケース２２の下面に引っかかる不具合が考えられる。そこで、フラットパネル昇降機構３０は、可動パネル３１が開いた後にフラットパネル２８を下降させることによって、可動パネル３１がケース２２の下面に引っかかる不具合を防止することが可能である。
【００９４】
（Ｂ）
第２実施形態のさらに他の変形例として、吸込口３３および吹出口３４がケース２２の下面を構成するフラットパネル２８の周囲全体に配置されている、いわゆるラウンドフローの配置であってもよい。
【００９５】
この場合、居室内の全ての方向から空気の吸込みおよび吹出しをそれぞれ行うことが可能になり、ドラフト感（風当たり感）をさらに抑制して居室内全体の冷房または暖房などの空気調和を行うことが可能になる。
【００９６】
（Ｃ）
第２実施形態の空気調和装置２１では、フラットパネル昇降機構３０は、フラットパネル２８（および可動パネル３１、フラットパネル支持部２９ならびにフィルタ２４）を鉛直方向に昇降させているのみであるが、本発明はこれに限定されるものではない。第２実施形態のさらに他の変形例として、フラットパネル昇降機構３０は、両側のワイヤ３５の送り出し量（ストローク）を変えることによって、フラットパネル２８を昇降および傾動させるようにしてもよい。この場合、フラットパネル２８とともにフィルタ２４も自動的に傾けることが可能になり、さらにフィルタの清掃および交換が容易になる。
【００９７】
〔第３実施形態〕
＜空気調和装置４１の基本構成＞
本発明の第３実施形態に係る天井設置型の空気調和装置４１は、図１６〜図１９に示されるように、第１実施形態のフラットパネル昇降機構１０の代わりに、フラットパネル４８をフィルタ４４とともにケース４２の下面において下方へ回転させて開閉する回転開閉機構６１と、フィルタ４４をフラットパネル４８から離脱して昇降させるフィルタ昇降機構６２とを備えている点で第１実施形態と異なる構成を有している。以下、空気調和装置４１の構成について説明する。
【００９８】
空気調和装置４１は、居室等の空調対象空間の上方における天井Ｃに埋め込んだ状態で配置されている。空気調和装置４１は、主として、ケース４２と、送風ファン４３と、フィルタ４４と、熱交換器４５と、ドレンパン４６と、フラットパネル４８と、フィルタ支持部４９と、可動パネル５１と、可動パネル移動機構５２と、回転開閉機構６１と、フィルタ昇降機構６２とから構成されている。
【００９９】
ケース４２は、居室の天井Ｃに形成された開口に挿入されて配置されている。そして、ケース４２の内部には、主として、居室内の空気をケース４２内に吸入して外周方向に吹き出す送風ファン４３と、ケース４２内に吸引された空気を濾過するフィルタ４４と、送風ファン４３の外周部を囲むように配置された熱交換器４５とが配置されている。
【０１００】
空気調和装置４１のケース４２は、天井Ｃの開口に嵌め込まれるように配置されている。なお、ケース４２を天井Ｃの表面に吊り下げて配置してもよい。
【０１０１】
送風ファン４３は、ターボファン等の遠心ファンから構成されており、居室内の空気をケース４２の吸込口５３を通じてケース４２内に吸入し、フィルタ４４によって濾過された後に吹出口５４から調和空気を吹き出す空気流れを生成する。吸込口５３から吸入された空気は、送風ファン４３を通って熱交換器４５に流れる。熱交換器４５では、空気は、冷媒と熱交換されて冷却または加熱されて調和空気となる。その後、調和空気は、ケース４２の内側面に沿って流れた後に吹出口５４から居室等の空調対象空間へ吹き出す。
【０１０２】
熱交換器４５の下側には、熱交換器４５において空気中の水分が凝縮されて生じるドレン水を受けるためのドレンパン４６が配置されている。
【０１０３】
フラットパネル４８は、ケース４２の下面の開放部分の一部を覆う合成樹脂製のパネルであり、本発明の下面フラットパネルに対応する。フラットパネル４８の両端には、第１実施形態のフラットパネル８と同様に、フィルタ支持部４９の突起部４９ｃと連結するための一対のフック（図示せず）が形成されている。フックは、図５のフック８ａと同一の形状である。
【０１０４】
また、フラットパネル４８の両側には、居室内の空気を吸入する一対の吸込口５３が形成されている。さらに一対の吸込口５３の外側には、ケース４２内から居室内に調和空気を吹き出す一対の吹出口５４が形成されている。なお、吹出口５４には、調和空気が吹き出す角度を調節するフラップを設けてもよい。
【０１０５】
フィルタ支持部４９は、フィルタ４４をフラットパネル４８の上方に所定間隔ｔ（図１７参照）だけ離間して着脱自在に支持する。フィルタ４４がフラットパネル４８の上方に所定間隔ｔだけ離間しているので、吸気経路Ｒを十分確保することが可能である。
【０１０６】
フィルタ支持部４９は、フィルタ４４をフラットパネル４８の上方に所定間隔ｔだけ離間して着脱自在に支持する。
【０１０７】
フィルタ支持部４９は、台座部４９ａと、フィルタ４４を下方から支持する支持部４９ｂと、突起部４９ｃとを有している。フィルタ支持部４９は、その支持部４９ｂとフィルタ４の枠部分とが嵌合するなどしてフィルタ４４を着脱自在に支持する。
【０１０８】
しかも、フィルタ支持部４９は、フラットパネル４８と着脱自在に連結している。フラットパネル４８の両端に形成された一対のフック（図示せず）がフィルタ支持部４９の突起部４９ｃに着脱自在に嵌合することによって、フラットパネル４８を容易に着脱することが可能になり、また、フラットパネル４８を開放してフィルタ４４を露出させることも可能になるので、その結果、フィルタ４４の清掃および交換がさらに容易になる。
【０１０９】
回転開閉機構６１は、ケース４２下面においてフラットパネル４８を下方へ回転させて開閉させる。さらに詳しく言えば、図１８に示されるように、回転開閉機構６１は、フラットパネル４８を回転軸４８ａ回りにフィルタ４４とともに回転させる。回転開閉機構６１は、その本体内部にモータおよび減速機構を有しており、フラットパネル４８に回転駆動力を与える。
【０１１０】
フィルタ昇降機構６２は、フィルタ４４を昇降させる。フィルタ昇降機構６２は、その本体内部にモータおよび減速機構を有しており、フィルタ４４の一端部に連結されたワイヤ５５を往復駆動させることによってフィルタ４４を昇降させる（図１９参照）。フィルタ昇降機構６２は、ケース４２の内部の図示されないフレームに固定されている。ワイヤ５５は、ケース４２内部に設けられたプーリ５６によって、ケース４２内部に往復移動自在に配索されている。
【０１１１】
フィルタ４４を清掃および交換する場合には、図１８に示されるように回転開閉機構６１によってフラットパネル４８をフィルタ４４とともに下方へ回転させて開き、その後、図１９に示されるようにフィルタ昇降機構６２によってフィルタ４４を所定の高さまで下降させるので、フィルタ４４の清掃および交換がさらに容易になる。
【０１１２】
一対の可動パネル５１は、それぞれ合成樹脂等で製造された平坦な板状部材であり、フラットパネル４８の両側にそれぞれ配置されている。可動パネル５１は、吸込口５３および吹出口５４を開閉する。
【０１１３】
可動パネル移動機構５２は、図１６〜１７に示すように、可動パネル５１を第１位置Ｉと第２位置IIとの間を移動させる機構である。可動パネル移動機構５２は、例えば、ステップモータ等から構成されており、ケース４２内部に固定されている。可動パネル移動機構５２は、空気調和装置４１が運転開始のときには、可動パネル５１を第１位置Ｉから天井Ｃに対して所定角度だけ傾斜した第２位置IIへ回転移動させて、吸込口５３および吹出口５４を開放する。一方、空気調和装置４１が運転停止のときには、可動パネル５１は、第２位置IIから第１位置Ｉへ回転移動させて、吸込口５３および吹出口５４を閉じる。
【０１１４】
＜第３実施形態の特徴＞
（１）
第３実施形態の天井埋込み型の空気調和装置４１は、フラットパネル４８をケース４２下面において下方へ回転させて開閉する回転開閉機構６１と、フィルタ４４をフラットパネル４８から離脱して昇降させるフィルタ昇降機構６２とをさらに備えているので、フィルタ４４のみを昇降させることが可能であり、フィルタ４４の清掃および交換がさらに容易である。
【０１１５】
（２）
また、第１実施形態の空気調和装置１と同様に、第３実施形態の居室の上方の天井Ｃに配置される天井埋込み型の空気調和装置４１は、下面が開放されたケース４２と、ケース４２の下面の開放部分の一部を覆うフラットパネル４８と、ケース４２に収納されたフィルタ４４と、フィルタ４４をフラットパネル４８の上方に所定間隔ｔだけ離間して着脱自在に支持するフィルタ支持部４９とを備えているので、フィルタ４４をフラットパネル４８と共に開けることが可能であり、フィルタ４４の交換が容易である。しかも、フィルタ支持部４９によってフィルタ４４をフラットパネル４８の上方に所定間隔ｔだけ離間させることによって、フィルタ４４とフラットパネル４８との間に吸気経路Ｒを十分確保することが可能である。
【０１１６】
（３）
第３実施形態の空気調和装置４１では、第１実施形態の空気調和装置１と同様に、フィルタ支持部４９は、フラットパネル４８と着脱自在に連結しているので、フラットパネル４８をフィルタ支持部４９から容易に着脱したり、フラットパネル４８を開放することが可能になる。その結果、フィルタ４４の清掃および交換をさらに容易に行うことが可能である。また、フラットパネル４８の清掃および交換も容易に行うことが可能である。
【０１１７】
（４）
第３実施形態の空気調和装置４１では、第１実施形態の空気調和装置１と同様に、通気口である吸込口５３および吹出口５４が、ケース４２におけるフラットパネル４８の周囲のうちのフラットパネル４８を挟んで対向する２カ所に配置されている（いわゆるダブルフローの配置である）ので、居室内の２方向から空気の吸込みおよび吹出しをそれぞれ行うことが可能になり、ドラフト感（風当たり感）を抑制して居室内全体の冷房または暖房などの空気調和を行うことが可能になる。
【０１１８】
＜第３実施形態の変形例＞
（Ａ）
第３実施形態の変形例として、吸込口５３および吹出口５４がケース４２の下面を構成するフラットパネル４８の周囲全体に配置されている、いわゆるラウンドフローの配置であってもよい。
【０１１９】
この場合、居室内の全ての方向から空気の吸込みおよび吹出しをそれぞれ行うことが可能になり、ドラフト感（風当たり感）をさらに抑制して居室内全体の冷房または暖房などの空気調和を行うことが可能になる。
【産業上の利用可能性】
【０１２０】
本発明は、ケース内部にフィルタが収納された天井設置型の空気調和装置について広く適用することが可能である。したがって、天井埋込み型だけでなく、天井吊下げ型の空気調和装置にも適用することが可能である。
【図面の簡単な説明】
【０１２１】
【図１】本発明の第１実施形態に係る天井設置型の空気調和装置の可動パネルが閉じた状態の断面図。
【図２】図１の空気調和装置の可動パネルが開いた状態の断面図。
【図３】図１の空気調和装置のフィルタおよびフラットパネルを下降させた状態の断面図。
【図４】図１の空気調和装置のフィルタを取り出す途中の状態の断面図。
【図５】図４のフィルタを取り出す途中の状態のフラットパネル付近の拡大断面図。
【図６】図５のフラットパネルを取り外す途中の状態の拡大断面図。
【図７】本発明の第１実施形態の変形例に係るフィルタおよびフラットパネルを下降および傾動させた状態の断面図。
【図８】本発明の第１実施形態の他の変形例に係るフィルタおよびフラットパネルを下降および傾動させた状態の拡大断面図。
【図９】本発明の第１実施形態のさらに他の変形例に係るフィルタおよびフラットパネルを下降および傾動させた状態の拡大断面図。
【図１０】本発明の第１実施形態のさらに他の変形例に係るフィルタおよびフラットパネルを下降および傾動させた状態の拡大断面図。
【図１１】本発明の第１実施形態のさらに他の変形例に係る空気調和機の断面図。
【図１２】本発明の第２実施形態に係る天井設置型の空気調和装置の可動パネルが閉じた状態の断面図。
【図１３】図１２の空気調和装置の可動パネルが開いた状態の断面図。
【図１４】図１２の空気調和装置のフィルタ、フラットパネルおよび可動パネルを下降させた状態の断面図。
【図１５】本発明の第２実施形態の変形例に係るフィルタ、フラットパネルおよび可動パネルを下降させた状態の断面図。
【図１６】本発明の第３実施形態に係る天井設置型の空気調和装置の可動パネルが閉じた状態の断面図。
【図１７】図１６の空気調和装置の可動パネルが開いた状態の断面図。
【図１８】図１６の空気調和装置のフィルタおよびフラットパネルを下方へ回転させて開いた状態の断面図。
【図１９】図１６の空気調和装置のフィルタを下降させた状態の断面図。
【符号の説明】
【０１２２】
１、２１、４１  空気調和装置
２、２２、４２  ケース
３、２３、４３  送風ファン
４、２４、４４  フィルタ
８、２８、４８  フラットパネル
９、２９、４９  フィルタ支持部
１０、３０  フラットパネル昇降機構
１１、３１、５１  可動パネル
１２、３２、５２  可動パネル移動機構
１３、３３、５３  吸込口
１４、３４、５４  吹出口
１５、３５、５５  ワイヤ
１６、３６、５６  プーリ
６１  回転開閉機構
６２  フィルタ昇降機構
【図１】
2007303770.tif 000003
【図２】
2007303770.tif 000004
【図３】
2007303770.tif 000005
【図４】
2007303770.tif 000006
【図５】
2007303770.tif 000007
【図６】
2007303770.tif 000008
【図７】
2007303770.tif 000009
【図８】
2007303770.tif 000010
【図９】
2007303770.tif 000011
【図１０】
2007303770.tif 000012
【図１１】
2007303770.tif 000013
【図１２】
2007303770.tif 000014
【図１３】
2007303770.tif 000015
【図１４】
2007303770.tif 000016
【図１５】
2007303770.tif 000017
【図１６】
2007303770.tif 000018
【図１７】
2007303770.tif 000019
【図１８】
2007303770.tif 000020
【図１９】
2007303770.tif 000021
【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
空調対象空間の上方に配置される空気調和装置（１、２１、４１）であって、
下面が開放されたケース（２、２２、４２）と、
前記ケース（２、２２、４２）の下面の開放部分の一部を覆う下面パネル（８、２８、４８）と、
前記ケース（２、２２、４２）に収納されたフィルタ（４、２４、４４）と、
前記フィルタ（４、２４、４４）を前記下面パネル（８、２８、４８）の上方に所定間隔だけ離間して着脱自在に支持するフィルタ支持部（９、２９、４９）と
を備えており、
前記フィルタ支持部（９、２９、４９）は、前記下面パネル（８、２８、４８）と着脱自在に連結している、
空気調和装置（１、２１、４１）。
【請求項２】
前記下面パネル（８、２８）を前記フィルタ（４、２４）および前記フィルタ支持部（９、２９）とともに昇降させる下面パネル昇降機構（１０、３０）をさらに備えている、
請求項１に記載の空気調和装置（１、２１）。
【請求項３】
前記ケース（２２）の下面と前記下面パネル（２８）との間に形成された通気口（３３、３４）を開閉する可動パネル（３１）をさらに備え、
前記下面パネル昇降機構（３０）は、前記下面パネル（２８）を前記可動パネル（３１）、前記フィルタ（２４）および前記フィルタ支持部（２９）とともに昇降させる、
請求項２に記載の空気調和装置（２１）。
【請求項４】
前記下面パネル昇降機構（３０）は、前記可動パネル（３１）が開いた後に前記下面パネル（２８）を下降させる、
請求項３に記載の空気調和装置（２１）。
【請求項５】
前記下面パネル昇降機構（１０、３０）は、前記下面パネル（８、２８）を昇降および傾動させる、
請求項２から４のいずれかに記載の空気調和装置（１、２１）。
【請求項６】
前記フィルタ支持部（９）は、前記下面パネル（８）が傾いたときにおける前記フィルタ（４）の落下を防止する落下防止部を有している、
請求項５に記載の空気調和装置（１）。
【請求項７】
前記フィルタ支持部（９）は、前記フィルタ（４）を上から取り外しができる構造を有している、
請求項１から６のいずれかに記載の空気調和装置（１、２１）。
【請求項８】
前記フィルタ支持部（９）は、前記フィルタ（４）を下から取り外しができる構造を有している、
請求項１から７のいずれかに記載の空気調和装置（１）。
【請求項９】
前記フィルタ支持部（９）は、前記フィルタ（４）をスライドして横から取り外しができる構造を有している、
請求項１から８のいずれかに記載の空気調和装置（１）。
【請求項１０】
前記下面パネル（４８）を前記ケース下面において下方へ回転させて開閉する回転開閉機構（６１）と、
前記フィルタ（４４）を前記下面パネル（４８）から離脱して昇降させるフィルタ昇降機構（６２）と
をさらに備えている、
請求項１に記載の空気調和装置（４１）。
【請求項１１】
前記通気口（１３、３３、５３、１４、３４、５４）は、前記ケース（２、２２、４２）における前記下面パネル（８、２８、４８）の周囲のうちの前記下面パネル（８、２８、４８）を挟んで対向する２カ所に配置されている、
請求項１から１０のいずれかに記載の空気調和装置（１、２１、４１）。
【請求項１２】
前記通気口（１３、３３、５３、１４、３４、５４）は、前記ケース（２、２２、４２）における前記下面パネル（８、２８、４８）の周囲全体に配置されている、
請求項１から１０のいずれかに記載の空気調和装置（１、２１、４１）。
【手続補正２】
【補正対象書類名】明細書
【補正対象項目名】０００５
【補正方法】変更
【補正の内容】
【０００５】
第１発明に係る空気調和装置は、空調対象空間の上方に配置される空気調和装置である。空気調和装置は、ケースと、下面パネルと、フィルタと、フィルタ支持部とを備えている。ケースは、下面が開放されている。下面パネルは、ケースの下面の開放部分の一部を覆う。フィルタは、ケースに収納されている。フィルタ支持部は、フィルタを下面パネルの上方に所定間隔だけ離間して着脱自在に支持する。フィルタ支持部は、下面パネルと着脱自在に連結している。
【手続補正３】
【補正対象書類名】明細書
【補正対象項目名】０００６
【補正方法】変更
【補正の内容】
【０００６】
ここでは、天井埋込み型の空気調和装置がフィルタを下面パネルの上方に所定間隔だけ離間して着脱自在に支持するフィルタ支持部を備えているので、フィルタを下面パネルと共に開けることが可能であり、フィルタの交換が容易である。しかも、フィルタ支持部によってフィルタを下面パネルの上方に所定間隔だけ離間させることによって、フィルタと下面パネルとの間に吸気経路を十分確保することが可能である。
また、フィルタ支持部が下面パネルと着脱自在に連結しているので、下面パネルをフィルタ支持部から容易に着脱したり、下面パネルを開放することが可能になる。その結果、フィルタの清掃および交換をさらに容易に行うことが可能である。また、下面パネルの清掃および交換も容易に行うことが可能である。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
第２発明に係る空気調和装置は、第１発明に係る空気調和装置であって、下面パネル昇降機構をさらに備えている。下面パネル昇降機構は、下面パネルをフィルタおよびフィルタ支持部とともに昇降させる。
【手続補正７】
【補正対象書類名】明細書
【補正対象項目名】００１１
【補正方法】変更
【補正の内容】
【００１１】
第３発明に係る空気調和装置は、第２発明に係る空気調和装置であって、ケースの下面と下面パネルとの間に形成された通気口を開閉する可動パネルをさらに備えている。下面パネル昇降機構は、下面パネルを、可動パネル、フィルタおよびフィルタ支持部とともに昇降させる。
【手続補正８】
【補正対象書類名】明細書
【補正対象項目名】００１３
【補正方法】変更
【補正の内容】
【００１３】
第４発明に係る空気調和装置は、第３発明に係る空気調和装置であって、下面パネル昇降機構は、可動パネルが開いた後に下面パネルを下降させる。
【手続補正９】
【補正対象書類名】明細書
【補正対象項目名】００１５
【補正方法】変更
【補正の内容】
【００１５】
第５発明に係る空気調和装置は、第２発明から第４発明のいずれかに係る空気調和装置であって、下面パネル昇降機構は、下面パネルを昇降および傾動させる。
【手続補正１０】
【補正対象書類名】明細書
【補正対象項目名】００１７
【補正方法】変更
【補正の内容】
【００１７】
第６発明に係る空気調和装置は、第５発明に係る空気調和装置であって、フィルタ支持部は、落下防止部を有している。落下防止部は、下面パネルが傾いたときにおけるフィルタの落下を防止する。
【手続補正１１】
【補正対象書類名】明細書
【補正対象項目名】００１９
【補正方法】変更
【補正の内容】
【００１９】
第７発明に係る空気調和装置は、第１発明から第６発明のいずれかに係る空気調和装置であって、フィルタ支持部は、フィルタを上から取り外しができる構造を有している。
【手続補正１２】
【補正対象書類名】明細書
【補正対象項目名】００２１
【補正方法】変更
【補正の内容】
【００２１】
第８発明に係る空気調和装置は、第１発明から第７発明のいずれかに係る空気調和装置であって、フィルタ支持部は、フィルタを下から取り外しができる構造を有している。
【手続補正１３】
【補正対象書類名】明細書
【補正対象項目名】００２３
【補正方法】変更
【補正の内容】
【００２３】
第９発明に係る空気調和装置は、第１発明から第８発明のいずれかに係る空気調和装置であって、フィルタ支持部は、フィルタをスライドして横から取り外しができる構造を有している。
【手続補正１４】
【補正対象書類名】明細書
【補正対象項目名】００２５
【補正方法】変更
【補正の内容】
【００２５】
第１０発明に係る空気調和装置は、第１発明に係る空気調和装置であって、回転開閉機構と、フィルタ昇降機構とをさらに備えている。回転開閉機構は、下面パネルをケース下面において下方へ回転させて開閉する。フィルタ昇降機構は、フィルタを下面パネルから離脱して昇降させる。
【手続補正１５】
【補正対象書類名】明細書
【補正対象項目名】００２７
【補正方法】変更
【補正の内容】
【００２７】
第１１発明に係る空気調和装置は、第１発明から第１０発明のいずれかに係る空気調和装置であって、通気口は、ケースにおける下面パネルの周囲のうちの下面パネルを挟んで対向する２カ所に配置されている。
【手続補正１６】
【補正対象書類名】明細書
【補正対象項目名】００２９
【補正方法】変更
【補正の内容】
【００２９】
第１２発明に係る空気調和装置は、第１発明から第１０発明のいずれかに係る空気調和装置であって、通気口は、ケースにおける下面パネルの周囲全体に配置されている。
【手続補正１７】
【補正対象書類名】明細書
【補正対象項目名】００３２
【補正方法】変更
【補正の内容】
【００３２】
また、第１発明によれば、下面パネルをフィルタ支持部から容易に着脱したり、下面パネルを開放することができる。その結果、フィルタの清掃および交換をさらに容易に行うことができる。また、下面パネルの清掃および交換も容易に行うことができる。
【手続補正１８】
【補正対象書類名】明細書
【補正対象項目名】００３３
【補正方法】変更
【補正の内容】
【００３３】
第２発明によれば、下面パネルおよびフィルタを作業員の作業可能な高さまで下降させることによって、フィルタの清掃および交換が容易に行うことができる。
【手続補正１９】
【補正対象書類名】明細書
【補正対象項目名】００３４
【補正方法】変更
【補正の内容】
【００３４】
第３発明によれば、フィルタを下面パネルおよび可動パネルと共に開けることができ、フィルタの交換がさらに容易である。
【手続補正２０】
【補正対象書類名】明細書
【補正対象項目名】００３５
【補正方法】変更
【補正の内容】
【００３５】
第４発明によれば、可動パネルがケースの下面に引っかかる不具合を防止することができる。
【手続補正２１】
【補正対象書類名】明細書
【補正対象項目名】００３６
【補正方法】変更
【補正の内容】
【００３６】
第５発明によれば、下面パネルとともにフィルタも傾けることができ、さらにフィルタの清掃および交換が容易になる。
【手続補正２２】
【補正対象書類名】明細書
【補正対象項目名】００３７
【補正方法】変更
【補正の内容】
【００３７】
第６発明によれば、下面パネルが傾いたときにおけるフィルタの落下を防止することができる。
【手続補正２３】
【補正対象書類名】明細書
【補正対象項目名】００３８
【補正方法】変更
【補正の内容】
【００３８】
第７発明によれば、フィルタを上から容易に取り外すことができる。
【手続補正２４】
【補正対象書類名】明細書
【補正対象項目名】００３９
【補正方法】変更
【補正の内容】
【００３９】
第８発明によれば、フィルタを下から容易に取り外すことができる。
【手続補正２５】
【補正対象書類名】明細書
【補正対象項目名】００４０
【補正方法】変更
【補正の内容】
【００４０】
第９発明によれば、フィルタの着脱を容易に行うことができる。
【手続補正２６】
【補正対象書類名】明細書
【補正対象項目名】００４１
【補正方法】変更
【補正の内容】
【００４１】
第１０発明によれば、フィルタのみを昇降させることができ、フィルタの清掃および交換がさらに容易である。
【手続補正２７】
【補正対象書類名】明細書
【補正対象項目名】００４２
【補正方法】変更
【補正の内容】
【００４２】
第１１発明によれば、居室内の２方向から空気の吸込みおよび吹出しをそれぞれ行うことが可能になり、ドラフト感（風当たり感）を抑制して居室内全体の冷房または暖房などの空気調和を行うことができる。
【手続補正２８】
【補正対象書類名】明細書
【補正対象項目名】００４３
【補正方法】変更
【補正の内容】
【００４３】
第１２発明によれば、居室内の全ての方向から空気の吸込みおよび吹出しをそれぞれ行うことが可能になり、ドラフト感（風当たり感）をさらに抑制して居室内全体の冷房または暖房などの空気調和を行うことができる。